(57)【特許請求の範囲】
【請求項１】
間隔を隔てて平行に配置した一対の支持枠部と、支持枠部の長手方向にずらして配置して一対の支持枠部の間に架け渡した複数の架設部とを備えて成る収納棚であって、架設部の架け渡し方向の両端に支持枠部に対してその長手方向にスライド自在にして着脱自在に嵌合する嵌め込み部を備え、支持枠部に被着した介在部材を嵌め込み部と支持枠部との間に圧入させて嵌め込み部を支持枠部の長手方向の任意位置に固定したことを特徴とする収納棚。
【請求項２】
上記一対の支持枠部の各先端部間に連結枠部を一体に架設すると共に、支持枠部への架設部の着脱を各支持枠部の基端部からの嵌め込み部の抜き差しにて行わせるようにし、各支持枠部の基端部に収納棚の設置面に対して固定する台座を着脱自在に取り付けたことを特徴とする請求項１に記載の収納棚。
【発明の詳細な説明】
【技術分野】
【０００１】
本発明は、収納棚に関するものである。
【背景技術】
【０００２】
従来から収納棚として、間隔を隔てて平行に配置した一対の支持枠部と、支持枠部の長手方向にずらして配置して一対の支持枠部の間に架け渡した複数の架設部とを備えて形成したものが知られている。特に、浴室などの水廻り部分に配置される収納棚では、良好な水切り性能や良好なお手入れ性能を確保するため、支持枠部や架設部をそれぞれステンレス線材で構成させた収納棚が知られている（たとえば特許文献１参照）。そして、このような収納棚にあって、支持枠部と架設部との連結には溶接にて行われることが一般的である。
【０００３】
ところで、収納棚は、水切り性能やお手入れ性能を向上させたいのであれば、具体的に収納物を載せる架設部の配設密度を低くする（すなわち架設部の配設本数や架設部の間隔幅を大きくする）ことが好ましいのであるが、収納棚の配設場所によって棚に載せると予期される収納物の種類が異なるのであり、たとえば予期される収納物がボトル等の大物である場合には収納物を載せる架設部の間隔は比較的広く形成しても差し支えないが、収納物がカミソリ等の小物である場合には収納物を載せる架設部の間隔が広いと架設部の間から収納物が落下してしまう恐れがある。
【０００４】
このように収納棚は、その配設場所に応じて収納物を載せる架設部の配置数や架設部の間隔幅を適宜設定可能にするのが好ましいが、叙述のように支持枠部と架設部との連結を溶接で行わせたものでは、支持枠部と架設部とが溶着一体化し、架設部の配置数や架設部の間隔幅を適宜設定可能にすることなどできないのであった。
【特許文献１】実用新案登録第３０９３５４３号公報
【発明の開示】
【発明が解決しようとする課題】
【０００５】
本発明は上記の点に鑑みてなされたものであり、その目的とするところは、収納棚の配設場所に応じて架設部の配置数や架設部の間隔幅を適宜設定可能にする収納棚を提供することを課題とするものである。
【課題を解決するための手段】
【０００６】
上記課題を解決するために請求項１に係る収納棚にあっては、間隔を隔てて平行に配置した一対の支持枠部２と、支持枠部２の長手方向にずらして配置して一対の支持枠部２の間に架け渡した複数の架設部３とを備えて成る収納棚１であって、架設部３の架け渡し方向の両端に支持枠部２に対してその長手方向にスライド自在にして着脱自在に嵌合する嵌め込み部４を備え、支持枠部２に被着した介在部材５を嵌め込み部４と支持枠部２との間に圧入させて嵌め込み部４を支持枠部２の長手方向の任意位置に固定したことを特徴とする。これによると、支持枠部２に架設部３を着脱自在にできると共に、この架設部３は支持枠部２の任意箇所に介在部材５を介して取外し自在に固定できたことから、収納棚１の配設場所に応じて、架設部３の配置数や架設部３の間隔幅を適宜設定できる。
【０００７】
また請求項２に係る収納棚にあっては、請求項１において、上記一対の支持枠部２の各先端部間に連結枠部６を一体に架設すると共に、支持枠部２への架設部３の着脱を各支持枠部２の基端部からの嵌め込み部４の抜き差しにて行わせるようにし、各支持枠部２の基端部に収納棚１の設置面８に対して固定する台座７を着脱自在に取り付けたことを特徴とする。これによると、収納棚１の設置面８に固定した台座７に対して支持枠部２の基端部を着脱自在にしたことで、台座７から外した支持枠部２の基端部での嵌め込み部４の抜き差しによって支持枠部２への架設部３の着脱が可能になるのであり、したがって、一対の支持枠部２の各先端部間に連結枠部６を一体に架設する構造を採用できて、収納棚１の剛性強度を向上できる。
【発明の効果】
【０００８】
本発明にあっては、収納棚の配設場所に応じて架設部の配置数や架設部の間隔幅を適宜設定できる、という利点を有する。
【発明を実施するための最良の形態】
【０００９】
以下、本発明を添付図面に示す実施形態に基いて説明する。
【００１０】
本例の収納棚１は、浴室の壁面に設置するに好適な収納棚であり、図１のように収納棚１の外縁を構成する支持枠体９と、支持枠体９の対向部間に着脱自在に架け渡されて収納物を載せる複数の架設部３と、支持枠体９に着脱自在に被設されて収納棚１を浴室の壁面である設置面８に固定する台座７とを備えたステンレス製のワイヤー収納棚である。
【００１１】
詳しくは、支持枠体９は、左右に間隔を隔てて略水平且つ平行に配置した一対の支持枠部２と、この一対の支持枠部２の先端間を繋ぐ連結枠部６とで平面視コ字状に形成された枠体であり、支持枠部２や連結枠部６はそれぞれ直棒形状であってその長さ方向に亙って同一の円形断面を備えるように形成されている。なお、便宜上、支持枠部２に沿ってその先端に向く方向を前方（矢印ａ）と称すると共に、支持枠部２に沿ってその基端に向く方向を後方（矢印ｂ）と称し、一対の支持枠部２の並設方向を左右方向（矢印ｃ：左方、矢印ｄ：右方）とし、上記前後方向と左右方向とにそれぞれ垂直な方向を上下方向（矢印ｅ：上方、矢印ｆ：下方）として説明をしていく。
【００１２】
架設部３は、上記支持枠体９の一対の支持枠部２に対して左右に架け渡される桟部材であり、主体を構成する横架部１０の両端部から立設部１１が略垂直上方に延びて正面視略Ｕ字状を成し、この立設部１１の上端部に支持枠部２にそれぞれ着脱自在（取り付け・取り外し自在）に嵌合する嵌め込み部４が形成されている。本例の嵌め込み部４は内部に前後方向に貫通する円孔状の貫通孔４ａを有したリング形状に形成されており、また上記貫通孔４ａはその内周面が支持枠部２の外周面よりも大径に形成されており、支持枠部２は貫通孔４ａに遊嵌状態で挿通可能にされている。また、横架部１０や立設部１１はそれぞれ直棒形状であってその長さ方向に亙って同一の円形断面を備えるように形成されている。
【００１３】
この架設部３を支持枠体９に固定するには、支持枠部２に被着した介在部材５を嵌め込み部４と支持枠部２との間に圧入させることで行われる。本例の介在部材５は弾性体で且つ側方に切れ目１２のあるＣ字筒状のブッシング材５ａで構成されており、このブッシング材５ａは内面部に支持枠体９を外嵌する嵌合部１３を備えると共に外面部に架設部３の嵌め込み部４に内嵌する被嵌合部１４を備えている。嵌合部１３は前後に貫通する取付孔１３ａで形成され、被嵌合部１４は前方程外径が太くなるテーパ面１４ａで構成されており、ブッシング材５ａの外面部の前端には外方へ突出するフランジ部１５が形成されている。
【００１４】
このブッシング材５ａは、図２（ｂ）のように、支持枠部２の軸線のスラスト方向から支持枠部２に近接させて切れ目１２から嵌合部１３に支持枠部２を押し込むようにすることで、嵌合部１３に支持枠部２を嵌合させた状態で支持枠部２の任意位置に簡単に被着できる。そして、この支持枠部２に被着したブッシング材５ａに対して、支持枠部２に嵌め込み部４が遊嵌された架設部３を支持枠部２に沿わせて前方にスライドさせることで、ブッシング材５ａの被嵌合部１４を架設部３の嵌め込み部４に内嵌することができ、つまり、ブッシング材５ａを嵌め込み部４と支持枠部２との間に圧入させることができて、架設部３を支持枠体９に固定することができる。ここで、フランジ部１５は、支持枠部２に沿って前方にスライドする架設部３の嵌め込み部４がブッシング材５ａの被嵌合部１４を通り過ぎようとした際に嵌め込み部４が当てられるのであり、ブッシング材５ａを介して確実に架設部３を支持枠体９に固定させるようにされている。なお、ブッシング材５ａを介して支持枠体９に固定された架設部３は後方にスライドさせることで、嵌め込み部４と支持枠部２との間でのブッシング材５ａの圧入状態を解除でき、架設部３の支持枠体９への固定状態を解除できる。
【００１５】
このように架設部３はブッシング材５ａを介して支持枠部２に固定されるのであるが、本例では図２（ａ）のように架設部３は支持枠部２に対して前後方向に所定間隔ごとに複数固定されるのであり、この複数の架設部３の水平面内に並ぶ各横架部１０によって収納物を載置する収納面を形成させている。
【００１６】
台座７は、内部に前後に貫通する挿入孔１６を有した筒状部材であり、挿入孔１６に挿入した支持枠体９の基端部を台座７の周面から挿入孔１６に向けて螺進させた取付ビス１７によって締め付けることで、支持枠体９の基端部に着脱自在に被設される。ここで、支持枠体９の基端部における外周面の下部には取付ビス１７の先端端面を当接させる凹所状の切欠部１８が略水平に切欠いたように形成されており、凹所状の切欠部１８に取付ビス１７が引っ掛かることで抜けを防止しつつ、取付ビス１７の先端端面の支持枠体９への当接面を大きくして、台座７と支持枠体９との強固な取付強度の確保が図られている。台座７における支持枠体９が挿入孔１６に挿入される側と反対側の筒端面は設置面８への接地面となり、台座７は適宜の手段を用いて設置面８に固定される。本例の台座７は接地面を接着剤で設置面８に接着させることで設置面８に固定されるのであるが、たとえばビス等による固定具を用いてこれを行わせてもよい。ここで、台座７を被設する支持枠体９の基端部は、架設部３の嵌め込み部４を支持枠体９から抜き差しして架設部３を支持枠体９に着脱させる部位であるが、台座７が被設されている状態では架設部３の嵌め込み部４が支持枠体９から抜き差しできない状態となる。つまり、架設部３の支持枠体９への着脱は、台座７を被設しない状態の支持枠体９の基端部で行われるのである。
【００１７】
上記構成の本例の収納棚１にあっては、上記のように支持枠部２に架設部３を着脱自在にできると共に、この架設部３は支持枠部２の任意箇所に介在部材５を介して取外し自在に固定できたものであり、すなわち支持枠部２と架設部３とが組み付け自在にされている。したがって、収納棚１はその配設場所に応じて収納すると予期される収納物が異なるのであるが、図３（ａ）のように収納すると予期される収納物がボトルＢ等の大物である場合には、任意の架設部３の支持枠部２への固定を解除して支持枠部２から架設部３を取外したりすることで、収納物を載せる架設部３の配置数を少なく、且つ架設部３の間隔を比較的広く形成することができ、水切れの良い収納棚１を形成することができる。一方、図３（ｂ）のように収納すると予期される収納物がカミソリＣ等の小物である場合には、支持枠部２に新たな架設部３を取付けて新たな介在部材５を介して支持枠部２に固定させることで、架設部３の配置数を多く、且つ架設部３の間隔を比較的狭く形成することができ、架設部３の間から収納物が落下しないようにできるのである。このように本例の収納棚１にあっては、収納棚１の配設場所に応じて、架設部３の配置数や架設部３の間隔幅を適宜設定できる、という利点を有するのである。
【００１８】
しかも、本例の収納棚１にあっては、収納棚１の設置面８に固定した台座７に対して支持枠部２の基端部が着脱自在にされると共に、台座７から外した支持枠部２の基端部での嵌め込み部４の抜き差しによって支持枠部２への架設部３の着脱が可能にされている。したがって、一対の支持枠部２の各先端部間に連結枠部６を一体に架設する構造の支持枠体９を用いることができたのであり、優れた剛性強度を有する収納棚１を実現できたのである。
【００１９】
なお、本例の収納棚１は、叙述のように支持枠体９や架設部３をそれぞれステンレスなどの金属製線材で構成してあって水切れが良くて水垢が付着しにくくて浴室に設置するに好適な収納棚とされているが、たとえば軽量化を期して支持枠体９や架設部３を樹脂製線材で構成して化粧キャビネットの壁面から突出する収納棚に好適なものとしてもよい。また、本例の収納棚１は、実際に収納物を載置する架設部３の部位は横架部１０であり、収納棚１の外縁を構成する支持枠体９は架設部３の横架部１０よりも上方に位置しているから（図２（ａ））、この支持枠体９は架設部３を支持する機能に加えて、架設部３に載置した収納物の落下防止索としても機能するのである。また、架設部３はブッシング材５ａを介して支持枠部２の前後方向の任意箇所に固定できるから、収納棚１の用途の応じて、収納棚１の前後の任意域（たとえば後部域）に対して架設部３の配置密度を高めるように複数の架設部３を集中して配置する態様にも簡単に設定できる。
【図面の簡単な説明】
【００２０】
【図１】本発明の実施の形態の例の収納棚の分解斜視図である。
【図２】（ａ）は同上の側面図であり、（ｂ）は（ａ）のＡ部の側断面図である。
【図３】（ａ）は同上の収納棚の一の使用形態図であり、（ｂ）は収納棚の他の使用形態図である。
【符号の説明】
【００２１】
１  収納棚
２  支持枠部
３  架設部
４  嵌め込み部
５  介在部材
５ａ  ブッシング材
６  連結枠部
７  台座
８  設置面
９  支持枠体
【図１】
0004925318.tif 000002
【図２】
0004925318.tif 000003
【図３】
0004925318.tif 000004